(57)【要約】      （修正有）【課題】携帯電話機や多機能型携帯電話（スマートフォン）等の携帯型情報端末機のジャックを利用して装飾効果を高めることができる携帯型情報端末機用装飾物、より詳しくは携帯型情報端末機の正面側や背面側等様々な部位にまで装飾を施すことが可能な携帯型情報端末機用装飾物を提供する。【解決手段】携帯電話機や多機能型携帯電話（スマートフォン）等の携帯型情報端末機のイヤホンジャック孔に挿入される軸部１１と軸部１１に接合される装飾部材１２とを有する携帯型情報端末機用装飾物において、軸部１１をＬ字型に形成すると共に、当該軸部の挿入側と反対側の端部に装飾部材１２を取り付けるための台座部１３を設ける。また携帯型情報端末機用装飾物において、台座部を薄板状に形成しても良い。【選択図】図２
0003178125.tif 000002
【実用新案登録請求の範囲】
【請求項１】
携帯電話機や多機能型携帯電話（スマートフォン）等の携帯型情報端末機のイヤホンジャック孔に差し込まれる軸部と、軸部に接合される装飾部材とを有する携帯情報端末機用装飾物であって、軸部をＬ字型に形成すると共に、当該軸部の嵌合側と反対側の端部に装飾部材を取り付けるための台座部を設けた携帯型情報端末機用装飾物。
【請求項２】
台座部を薄板状に形成した請求項１記載の携帯型情報端末機用装飾物。
【考案の詳細な説明】
【技術分野】
【０００１】
本考案は、携帯電話機や多機能型携帯電話（スマートフォン）等の携帯型情報端末機のジャックに着脱可能に装着される装飾物に関するものである。
【背景技術】
【０００２】
近年、携帯端末として、携帯電話と携帯情報端末（ＰＤＡ）を融合した、多機能型携帯電話（いわゆるスマートフォン）が汎用されている。これらのスマートフォンは、従来の携帯電話機と異なり、ストラップ等を付けるためのストラップホールを有しないものが多い。
【０００３】
かようにスマートフォンはストラップホールを有しないがゆえに、従来の携帯端末用アクセサリーであるストラップ等の装飾物を付けることができない。係る理由で携帯電話機ユーザは、スマートファンに対し、装飾性の点で不満に感じる者が多い。
【０００４】
そこで、携帯端末のケース表面にラインストーンを接着させたり、あるいはシールを貼ったりして装飾を施す者もいる。しかし、係る装飾を施すと装飾物除去時に、表面に汚れが残るという難点がある。
【０００５】
以上のような欠点を解消すべく、実用新案登録第３１７１３４９号公報や実用新案登録第３０８８４９６号公報に開示されているような、イヤホンジャック孔に挿入される軸部と軸部に接合される装飾部材とを有する携帯型情報端末機用装飾物が市販されている。また、係る装飾物において、軸部を補強した考案が実用新案登録第３１７１３４５号公報に開示されている。軸部と装飾部材を着脱自在にし、様々な装飾を可能とした考案が実用新案登録第３１７０６０４号公報に開示されている。
【先行技術文献】
【特許文献】
【０００６】
【特許文献１】実用新案登録第３１７１３４９号公報
【特許文献２】実用新案登録第３０８８４９６号公報
【特許文献３】実用新案登録第３１７１３４５号公報
【特許文献４】実用新案登録第３１７０６０４号公報
【考案の概要】
【考案が解決しようとする課題】
【０００７】
上記のようにジャック孔に差し込むタイプの装飾物１は、図７に示すように軸部２が直線上の棒体であり、当該軸部２の端部に装飾部材３が取り付けられて成るものである。それ故、図８に示すように携帯型情報端末機４の側面部分のみ装飾出来るに過ぎない。ところが、ユーザーはラインストーンを貼り付けるが如く、携帯情報端末の正面側や背面側にまで装飾を施すことを望む者が多い。
【０００８】
そこで本考案は、携帯電話機や多機能型携帯電話（スマートフォン）等の携帯型情報端末機のジャックを利用して装飾効果を高めることができる携帯型情報端末機用装飾物、より詳しくは携帯型情報端末機の正面側や背面側等様々な部位にまで装飾を施すことが可能な携帯型情報端末機用装飾物を提供することを目的とする。
【課題を解決するための手段】
【０００９】
上記の目的を達成する本考案の構成は次の通りである。
【００１０】
（１）  請求項１記載の考案は、携帯電話機や多機能型携帯電話（スマートフォン）等の携帯型情報端末機のイヤホンジャック孔に挿入される軸部と軸部に接合される装飾部材とを有する携帯型情報端末機用装飾物において、軸部をＬ字型に形成すると共に、当該軸部の挿入側と反対側の端部に装飾部材を取り付けるための台座部を設けた。
【００１１】
（２）  請求項２記載の考案は、請求項１記載の携帯型情報端末機用装飾物において、台座部を薄板状に形成した。
【考案の効果】
【００１２】
以下、上述のように構成される本考案が、如何に作用して課題を解決するかを、図面を参照しながら概説する。
【００１３】
図２、図４に示すように本考案に係る携帯型情報端末機用装飾物１０は軸部１１がＬ字型に形成されている。それ故、図５、図６に示すように携帯型情報端末機４に装着した際に、装飾部材１２が携帯型情報端末機４の正面側に位置することになる。また、逆向きに装着すれば背面側に位置させることも可能となる。
【００１４】
すなわち、本考案によれば携帯型情報端末機の正面側や背面側等様々な部位にまで装飾を施すことが可能な携帯型情報端末機用装飾物を提供することが可能となるのである。
【図面の簡単な説明】
【００１５】
【図１】本考案の正面図
【図２】同、右側面図
【図３】軸部の正面図
【図４】同、右側面図
【図５】本考案の実施状態を正面側から示す図
【図６】同、右側面側から示す図
【図７】従来例の正面図
【図８】従来例の実施状態を示す図
【考案を実施するための形態】
【００１６】
以下、好ましい考案の一実施形態につき図面を参照しながら概説する。
【００１７】
携帯型情報端末機用装飾物１０は、携帯型情報端末機４のジャック孔に挿入されるＬ字型を呈する軸部１１と、軸部１１の上記ジャック孔に挿入される側とは反対側の端部に設けられた台座部１３とを有する。
【００１８】
軸部１１は、図６に示されるに、携帯型情報端末機４のジャックに挿入されて着脱自在に固定される。このとき、軸部１１は、ある一定以上の力を加えないと、ジャック孔から外れないような形状に設けてある。
【００１９】
具体的には、携帯型情報端末機４に形成されるジャック孔の内部構造に対応した溝部１１ａが形成してある。むろん本考案の軸部１１の形状はこれに限られるものではなく、軸部１１において溝の有無や形成される位置、個数は携帯型情報端末機４のジャック孔に挿入可能な形状である限り任意に変更されてもよい。
【００２０】
軸部１１の材質は、溝部１１ａの形成やＬ字型の成形を容易にし、かつ、携帯型情報端末機４のジャック孔内部に形成されている接続端子との電気的接触を回避するために、絶縁性を有する樹脂等の材質で形成することが望ましい。
【００２１】
台座部１３は軸部１１と一体に形成しても良いし、別個に形成し接着しても構わない。台座部１３の形状は装飾部材１２を固定することが可能であれば任意の形状でよいが、図２、図３に示されるように薄板状に形成することが好ましい。装飾部材１２を接着した際に、より強固に固定できるからである。
【００２２】
装飾部材１２は宝玉、宝玉の模造品、その他通常のアクセサリーを利用可能である。装飾部材１２の裏面は、台座部１３に固定可能に形成する必要がある。具体的には平面状に形成し接着可能にしても良いし、台座部１３とネジ着するよう構成しても良いし、その他容易に外れない形状であれば任意の固定方法を採用可能なものである。
【符号の説明】
【００２３】
１０・・携帯型情報端末機用装飾物
１１・・軸部
１１ａ・・溝部
１２・・装飾部材
１３・・台座部
【図１】
0003178125.tif 000003
【図２】
0003178125.tif 000004
【図３】
0003178125.tif 000005
【図４】
0003178125.tif 000006
【図５】
0003178125.tif 000007
【図６】
0003178125.tif 000008
【図７】
0003178125.tif 000009
【図８】
0003178125.tif 000010